(57)【要約】【課題】撮影時における乳房の位置ずれを抑制する。【解決手段】圧迫板５０の撮影対向面５２Ａには、すべり低減部６０が形成されている。すべり低減部６０は、撮影対向面５２Ａの胸壁部５４と隣接する一端辺に形成されている。すべり低減部６０は、乳房Ｎに当接した状態でのすべり易さが、撮影対向面５２Ａの他の部分（すべり低減部６０が形成されていない部分）よりも低くなるように、すなわち、乳房Ｎがすべり難くなるように構成されている。【選択図】図３
2011212111.tif 000002
【特許請求の範囲】
【請求項１】
乳房を被験者の乳房が当接する撮影台上の撮影面との間で挟み込んで圧迫する圧迫板であって、
前記乳房に当接し、前記撮影面と対向する側から挟み込んで前記乳房を圧迫する撮影対向面を備え、
前記撮影対向面の前記乳房の付根側一端辺に、前記撮影対向面と前記乳房との間のすべりを減少させるすべり低減部が形成されている、圧迫板。
【請求項２】
前記撮影対向面から連続して構成され前記被験者の胸部に当接する胸壁部を備え、
前記すべり低減部は、前記胸壁部との境界部分に形成されていること、を特徴とする請求項１に記載の圧迫板。
【請求項３】
前記すべり低減部は、さらに前記撮影対向面から前記胸壁部へ延出して形成されていること、を特徴とする請求項２に記載の圧迫板。
【請求項４】
前記すべり低減部は、シリコン材料を含んだ部材で形成されていること、を特徴とする請求項１〜請求項３のいずれか１項に記載の圧迫板。
【請求項５】
前記すべり低減部は、前記撮影対向面を凹凸処理して形成されていること、を特徴とする請求項１〜請求項４のいずれか１項に記載の圧迫板。
【請求項６】
被験者の乳房にＸ線を照射するＸ線源と、
前記乳房が当接する撮影面を有する撮影台と、
請求項１〜５のいずれか１項に記載された圧迫板と、
を備えた、Ｘ線撮像装置。
【発明の詳細な説明】
【技術分野】
【０００１】
本発明は、医療用のＸ線撮像装置、及び、このＸ線撮像装置に用いる圧迫板に関する。
【背景技術】
【０００２】
医療用のＸ線撮像装置の一つとして、被験者の乳房を撮像するＸ線撮像装置（マンモグラフィ）が挙げられる。この乳房を撮像するＸ線撮像装置では、乳房を圧迫板で圧迫してＸ線撮影を行う。乳房を圧迫板で圧迫する際には、検査技師が乳房のポジショニングを行うが、圧迫による痛みを伴うため、被験者が撮影台から離れるよう逃げて、乳房の位置がずれポジショニングが行い難いという問題や、ポジショニング後に乳房の位置がずれて適切な画像が得られないという問題が生じる可能性がある。
【０００３】
例えば、特許文献１〜３では、被験者の圧迫による痛みを緩和するために、圧迫板に弾性体パッドを貼付している。確かに、弾性体パッドによって被験者の痛みは緩和されるが、弾性的に乳房を保持しているため、ポジショニング時と撮影時とで乳房の位置がずれてしまうという問題がある。また、弾性パッドを圧迫面全体に貼付するため、弾性パッドによりＸ線透過率が低下して、同量のＸ線で撮影した場合には画質が低下し、画質の低下を避けるためにはＸ線量を増やさなければならないため、被験者の被爆量が増加してしまうという問題がある。
【先行技術文献】
【特許文献】
【０００４】
【特許文献１】特表２００５−５２３０４３号
【特許文献２】ＵＳ６５７７７０２
【特許文献３】ＵＳ６９６８０３３
【発明の概要】
【発明が解決しようとする課題】
【０００５】
本発明は、上記事実を考慮してなされたものであり、撮影時における乳房の位置ずれを抑制することの可能な圧迫板、及び、この圧迫板を用いたＸ線撮像装置を提供することを課題とする。
【課題を解決するための手段】
【０００６】
上記課題を解決するために、請求項１に記載の圧迫板は、乳房を被験者の乳房が当接する撮影台上の撮影面との間で挟み込んで圧迫する圧迫板であって、前記乳房に当接し、前記撮影面と対向する側から挟み込んで前記乳房を圧迫する撮影対向面を備え、前記撮影対向面の前記乳房の付根側一端辺に、前記撮影対向面と前記乳房との間のすべりを減少させるすべり低減部が形成されている。
【０００７】
請求項１に記載の圧迫板は、撮影台の撮影面との間に被験者の乳房を挟み込んで圧迫する。乳房をこのように挟み込んで圧迫する際には、先ず、乳房の付根側を挟み込んで位置決めし、この位置を起点として乳房の全体を位置決めしつつ撮影台の撮影面と圧迫板の撮影対向面との間に挟み込む。
【０００８】
このとき、撮影対向面の乳房の付根側には、すべり低減部が形成されているので、位置決め後の乳房の付根側の位置ずれを抑制することができる。また、すべり低減部は、撮影対向面の乳房の付根側一端辺形成されているので、撮影対向面の全体に形成されている場合と比較して、Ｘ線撮影する場合のＸ線透過率の低下を抑制することができる。
【０００９】
請求項２に記載の圧迫板は、前記撮影対向面から連続して構成され前記被験者の胸部に当接する胸壁部を備え、前記すべり低減部は、前記胸壁部との境界部分に形成されていること、を特徴とする。
【００１０】
圧迫板が胸壁部を有していることにより、被験者の胸部が撮影面に被さることがなく、適切に乳房のＸ線撮影を行うことができる。また、圧迫板の胸壁部と撮影対向面の境界部分にすべり低減部を形成することにより、すべり低減部の撮影画像への影響を抑制することができる。
【００１１】
請求項３に記載の圧迫板は、前記すべり低減部は、さらに前記撮影対向面から前記胸壁部へ延出して形成されていること、を特徴とする。
このように、すべり低減部を撮影対向面から、胸壁部と撮影対向面の境界部分を経て胸壁部へ延出させることにより、位置決め後の乳房の付根側の位置ずれを、より確実に抑制することができる。
【００１２】
請求項４に記載の圧迫板は、前記すべり低減部が、シリコン材料を含んだ部材で形成されていること、を特徴とする。
このように、シリコン材料を用いて、好適にすべりを低減することができる。なお、シリコン材料でのすべり低減部の形成として、テープ状のシリコン部材を貼り付けて形成してもよいし、シリコン塗料を塗布して形成してもよい。
【００１３】
請求項５に記載の圧迫板は、前記すべり低減部が、前記撮影対向面を凹凸処理して形成されていること、を特徴とする。
【００１４】
このように、撮影対向面に凹凸処理を施すことにより、好適にすべりを低減することができる。
【００１５】
請求項６に記載のＸ線撮影装置は、被験者の乳房にＸ線を照射するＸ線源と、前記乳房が当接する撮影面を有する撮影台と、請求項１〜５のいずれか１項に記載された圧迫板と、を備えている。
【００１６】
請求項６に記載のＸ線撮影装置によれば、圧迫板にすべり低減部が形成されているので、位置決め後の乳房の付根側の位置ずれを抑制して、適切なＸ線撮影を行うことができる。また、すべり低減部は、撮影対向面の乳房の付根側一端辺形成されているので、撮影対向面の全体に形成されている場合と比較して、Ｘ線撮影する場合のＸ線透過率の低下を抑制することができる。
【発明の効果】
【００１７】
本発明によれば、撮影時における乳房の位置ずれを抑制することができる。
【図面の簡単な説明】
【００１８】
【図１】本実施形態に係るＸ線撮像装置の斜視図である。
【図２】本実施形態に係るＸ線撮像装置に被験者の乳房がポジショニングされた状態を示す上面図である。
【図３】本実施形態に係る圧迫板の斜視図であり、（Ａ）は撮影対向面を下向きの状態、（Ｂ）は撮影対向面が上向きの状態での斜視図である。
【図４】本実施形態に係る圧迫板の側面図である。
【図５】本実施形態に係るＸ線撮像装置の撮影面に乳房が当接された状態を示す図である。
【図６】本実施形態に係るＸ線撮像装置の圧迫板で、乳房の付根側を位置決めした状態を示す図である。
【図７】本実施形態に係るＸ線撮像装置の圧迫板で、乳房の全体が圧迫されポジショニングされた状態を示す図である。
【図８】本実施形態の変形例に係る圧迫板の斜視図であり、（Ａ）は撮影対向面を下向きの状態、（Ｂ）は撮影対向面が上向きの状態での斜視図である。
【図９】本実施形態の変形例に係る圧迫板の側面図である。
【発明を実施するための形態】
【００１９】
以下、実施形態を挙げ、本発明の実施の形態について説明する。
まず、第１実施形態について説明する。図１には、本実施形態に係るＸ線撮像装置（マンモグラフィ）１０の斜視図が示されている。Ｘ線撮像装置１０は、立位状態の被験者Ｗ（図２参照）の乳房をＸ線で撮影する装置であり、測定部１２、及び、基台部１４を備えている。なお、本実施形態のＸ線撮像装置１０は、ＣＣ（頭尾方向。（Ｃｒａｎｉｏ＆Ｃａｕｄａｌ））撮影とＭＬＯ（内外斜位方向。Ｍｅｄｉａｌ−Ｌａｔｅｒａｌ−Ｏｂｌｉｑｕｅ）撮影との両者を行うことができる装置となっている。
【００２０】
測定部１２は、装置正面側に設けられ、側面視略コの字状とされている。基台部１４は、立設状態に設置され、測定部１２を背後から支持している。測定部１２には、背面側に延び出して基台部１４に回動可能に支えられている回動軸１６が設けられており、回動軸１６が基台部１４に支えられることによって測定部１２が基台部１４に回動可能に支えられている。
【００２１】
測定部１２は、撮影台２２、及び、支持部２８を備えている。支持部２８は、側面視で略Ｌ字状とされ、Ｌ字の一辺（中支持部２７）が基台部１４に沿って配置され、Ｌ字の他辺（上支持部２６）がＸ線撮像装置１０の正面側に向かって延出するように配置されている。
【００２２】
支持部２８の上支持部２６と逆側の端部には、撮影台２２が連結されている。撮影台２２は、Ｘ線撮像装置１０の正面側に向かって延出され、上支持部２６と所定距離離間して対向するように配置されている。撮影台２２の上支持部２６と対向する側には、少なくとも上半身が立位の被験者Ｗ（患者）の乳房Ｎ（図２参照）に当接する平面状の撮影面２０が形成されている。
【００２３】
上支持部２６の先端側には、撮影台２２と対向するように放射線照射部２４が設けられている。放射線照射部２４にはＸ線管球（図示せず）が備えられ、Ｘ線管球から検査用のＸ線が撮影面２０に向けて照射される。
【００２４】
中支持部２７の正面側には、保持部材３２を介して圧迫板５０が保持されている。保持部材３２は、中支持部２７に構成されたガイド溝２７Ａに沿って移動可能とされている。これにより、圧迫板５０と撮影面２０との距離が可変とされている。
【００２５】
中支持部２７には、ＣＣ撮影時に被験者Ｗが両手でそれぞれ把持する一対のハンドル３６が、撮影面２０を挟むように形成されている。ハンドル３６は、中支持部２７の側面に固定され、Ｘ線撮像装置１０の正面側に向かって延出されている。ハンドル３６を構成し被験者Ｗによって握られる握り部３６Ａは、撮影面２０の法線に対し被験者側とは反対側（すなわち被験者にとって奥側）に傾斜した略直棒状部とされ、撮影面２０に近づくに従い、被験者Ｗ側に徐々に近くなるように配置されている。
【００２６】
撮影台２２の正面側（被験者側）には、ＣＣ撮影時には被験者Ｗ（図５参照）の乳房Ｎよりも下方の胸部分を当接させる胸壁当接部３０が設けられている。また、撮影台２２の内部には、撮影面２０を通過したＸ線が照射される放射線検出器４０（図５参照）が設けられている。
【００２７】
図３（Ａ）に示すように、圧迫板５０は浅底のトレイ形状とされ、撮影対向部５２、胸壁部５４、側壁部５６、及び、取付壁部５８を備えている。撮影対向部５２は、撮影面２０と対向するように配置され、撮影面２０側に撮影対向面５２Ａが形成されている。撮影対向面５２Ａが、撮影面２０と対向する側から乳房Ｎに当接して撮影面２０との間で乳房Ｎを挟み込み、当該乳房Ｎを圧迫する。胸壁部５４は、撮影対向部５２の撮影台２２正面側（中支持部２７と逆側）に、撮影対向部５２と直交するように屈曲して連続して形成されている。胸壁部５４には、ＣＣ撮影時に被験者Ｗ（図７参照）の乳房Ｎよりも上方の胸部分が当接される。
【００２８】
側壁部５６は、撮影台２２正面側からみて撮影対向部５２を挟んだ両側部に、撮影対向部５２と直交するように屈曲して連続して形成されている。取付壁部５８は、撮影対向部５２の撮影台２２奥側（中支持部側）に、撮影対向部５２と直交するように屈曲して連続形成されている。取付壁部５８の中央部外側には、圧迫板５０と保持部材３２とを連結するアーム３４が取り付けられている。
【００２９】
図３（Ｂ）に示すように、撮影対向面５２Ａには、すべり低減部６０が形成されている。すべり低減部６０は、撮影対向面５２Ａの胸壁部５４と隣接する一端辺に形成されている。すべり低減部６０は、乳房Ｎに当接した状態でのすべり易さが、撮影対向面５２Ａの他の部分（すべり低減部６０が形成されていない部分）よりも低くなるように、すなわち、乳房Ｎがすべり難くなるように構成されている。
【００３０】
すべり低減部６０としては、摩擦係数の高い樹脂材料、粘着性を有する樹脂材料などを用いることができる。例えば、シリコン材料で構成することができ、シリコンテープを貼付したり、シリコン塗料を塗布したりすることにより構成することができる。また、すべり低減部６０は、撮影対向面５２Ａの表面に凹凸を形成したり、粗面化処理を行ったりすることによっても、形成することができる。
【００３１】
すべり低減部６０は、図３（Ｂ）に示すように、胸壁部５４に沿った方向の長さＳは、撮影対向面５２Ａの一辺全体をカバーする長さであることが好ましい。また、側壁部５６に沿った方向の幅Ｗ１は、下限は十分にすべり低減効果を得るため１ｍｍ、上限は画像に写り込まない範囲（５ｍｍ程度）であることが好ましい。また、すべり低減部６０の厚みＨ（図５参照）は、シリコンテープを貼付したり、シリコン塗料を塗布したりする場合には、段差による不快感や痛みを感じさせないため０．５ｍｍ以下であることが好ましく、表面を粗面化処理する場合には、表面粗さが、下限は十分にすべり低減効果を得るため０．１ｍｍ、上限は段差による不快感や痛みを感じさせないため０．５ｍｍ以下であることが好ましい。
【００３２】
（作用、効果）
以下、本実施形態の作用、効果について説明する。なお、説明の都合上、ＣＣ撮影で説明を行うが、ＭＬＯ撮影でも同様の作用、効果である。
【００３３】
図５に示すように、被験者Ｗは、ＣＣ撮影で検診を受ける際、Ｘ線撮像装置１０の撮影台２２上に乳房Ｎを配置し、撮影面２０に乳房Ｎを当接させる。この状態で、圧迫板５０を撮影面２０に向けて移動させる。そして、図６に示すように、圧迫板５０の胸壁部５４と撮影対向部５２の角部を乳房Ｎの付根側に当接させて、乳房Ｎの付根側を撮影面２０へ押しつけ、当該部分の位置決めを行う。さらに、圧迫板５０を撮影面２０に向けて移動させ、乳房Ｎの付根側から先端側へ向かって位置決めをしつつ乳房Ｎを撮影面２０と撮影対向面５２Ａとの間に挟み込んで圧迫する（図７参照）。
【００３４】
本実施形態では、撮影対向面５２Ａにすべり低減部６０が形成されているので、乳房Ｎの付根側を位置決めした後に、乳房Ｎの位置ずれ、特に、撮影台２２から手前側（被験者が逃げる方向）への位置ずれを抑制することができる。また、すべり低減部６０は、乳房Ｎの付根側の一端辺に形成されているので、乳房Ｎの最初の位置決め部分の位置ずれが抑制され、乳房Ｎの先端側のポジショニングを行いやすくなる。
【００３５】
また、すべり低減部６０は、撮影対向面５２Ａの全体に形成されているのではなく、胸壁部５４側の一辺のみに形成されているので、Ｘ線の撮影対向部５２の透過率低下を抑制することができる。
【００３６】
なお、本実施形態では、すべり低減部を撮影対向面５２Ａにのみ形成したが、すべり低減部は、図８及び図９に示すように、撮影対向面５２Ａから胸壁部５４の外面に延出させた、すべり低減部６１として形成してもよい。このように、すべり低減部６１を胸壁部５４へ延出させることにより、胸壁部５４に当接される被験者の胸部についてもすべりを抑制でき、位置決め後の乳房Ｎの付根側の位置ずれを、より確実に抑制することができる。
この場合のすべり低減部６１の、胸壁部５４に沿った方向の長さＳは、乳房Ｎのポジショニング自由度を高く維持するため、撮影対向面５２Ａの一辺全体をカバーする長さであることが好ましい。また、胸壁部５４への延出長さＥは、胸壁部５４の高さをすべてカバーするものであってもよいし、図８、図９に示されるように、胸壁部５４の高さ方向の一部のみに延出されるものであってもよい。
【００３７】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００３８】
１０   Ｘ線撮像装置
２０   撮影面
２２   撮影台
４０   放射線検出器
５０   圧迫板
５２   撮影対向部
５２Ａ 撮影対向面
５４   胸壁部
６０、６１    すべり低減部
【図１】
2011212111.tif 000003
【図２】
2011212111.tif 000004
【図３】
2011212111.tif 000005
【図４】
2011212111.tif 000006
【図５】
2011212111.tif 000007
【図６】
2011212111.tif 000008
【図７】
2011212111.tif 000009
【図８】
2011212111.tif 000010
【図９】
2011212111.tif 000011